(57)【要約】【課題】  特に選挙ポスター用の掲示板のように、選挙のたびに短期間の間で設置と撤去が繰返される掲示板に適用してきわめて有用な掲示板用フレーム、より具体的には、コンパクトに折畳むことができ、かつ、繰返し使用しても充分な耐久性を持ち、かつ、組立ても容易に行うことができる利便性の高い掲示板用フレームを提供する。【解決手段】  少なくとも３本の平行で同長の横フレーム材１〜３と、前記各フレーム材１〜３と適宜傾斜角で交叉配置される少なくとも２本の筋違い材４，５、６，７とを備え、前記筋違い材４，５、６，７と前記横フレーム材１〜３との各交点を、前記横フレーム材１〜３に、位置固定に枢着すること及びスライド可能に結合することを選択して組合せ、前記の各横フレーム材１〜３を相互に離間させて広げた掲示板23の取付け状態と、当該各横フレーム材１〜３を相互に接近させて折畳む掲示板23の取外し状態を形成できるようにしたこと。【選択図】図３
0003128240.tif 000002
【実用新案登録請求の範囲】
【請求項１】
少なくとも３本の平行で同長の横フレーム材と、前記各フレーム材と適宜傾斜角で交叉配置される少なくとも２本の筋違い材とを備え、前記筋違い材と前記横フレーム材との各交点を、前記横フレーム材に、位置固定に枢着すること及びスライド可能に結合することを選択して組合せ、前記の各横フレーム材を相互に離間させて広げた掲示板の取付け状態と、当該各横フレーム材を相互に接近させて折畳む掲示板の取外し状態を形成できるようにしたことを特徴とする折畳み式掲示板用フレーム。
【請求項２】
筋違い材は、中間の横フレーム材に関して上，下対称な姿勢で設けた請求項１の折畳み式掲示板用フレーム。
【請求項３】
横フレーム材が掲示板を取付けることができる離間姿勢のとき、横フレーム材の両側端に、各横フレーム材を連結するための縦フレーム材を着脱可能に設けた請求項１又は２の折畳み式掲示板用フレーム。
【請求項４】
断面略コ状の横フレーム材の裏面の溝に筋違い材、又は、該筋違い材と脚取付部を設け、横フレーム材の前面、又は、該横フレーム材と縦フレーム材の前面に、掲示板を抱持する取付部を形成した請求項１〜３のいずれかの折畳み式掲示板用フレーム。
【考案の詳細な説明】
【技術分野】
【０００１】
本考案は、選挙用ポスターの掲示板のように、設置期間が２週間程度と短かいため、設置と撤去が短期間で行われる、いわば臨時的な掲示板に適用して特に有用な掲示板用フレームに関する。
【背景技術】
【０００２】
従来の選挙用ポスターなどの掲示板の一般的構造は、横長にした長方形ベニヤ板（合板）によってポスターなどの掲示面を形成し、その掲示面の裏面にその外周を囲むように角材などによるフレーム材を配置すると共に、中間部に補強棧などを配置し、これらの各構成部材を釘などで打付けて形成された木製ものが多い。この木製掲示板は、例えば選挙用の場合、かなりの数量を予め製作して準備しておく必要があるため、その保管にはかなりのスペースを要するという問題がある。
【０００３】
また、上記の木製掲示板は、その裏面側に、地上に立設したり、壁面に固定するため、木製などの脚柱を取付けて地上や壁などに設置される。しかし、選挙用ポスターのようにその掲示期間が終了すると、当該掲示板を撤去しなければならないが、この撤去に伴っても、次のような問題がある。
【０００４】
すなわち、撤去された掲示板は、再使用しない場合は分解して可燃ゴミなどとして廃棄され、また、再使用する場合には、展示したポスターなどを剥がすなどして外し、次の使用に備えて倉庫などに積層などして収納，保管する態様が採られているため、廃棄する場合には分解する手間がかかるだけではなく、資源を無駄に使うことになり、また、再使用する場合でも、掲示板自体は展示した時の大きさのままで保管されるため、保管スペースの問題がある。
【考案の開示】
【考案が解決しようとする課題】
【０００５】
そこで本考案では、特に選挙ポスター用の掲示板のように、選挙のたびに短期間の間で設置と撤去が繰返される掲示板に適用してきわめて有用な掲示板用フレーム、より具体的には、コンパクトに折畳むことができ、かつ、繰返し使用しても充分な耐久性を持ち、かつ、組立ても容易に行うことができる利便性の高い掲示板用フレームを提供することを課題とするものである。
【課題を解決するための手段】
【０００６】
上記課題を解決することを目的としてなされた本考案掲示板用フレームの構成は、少なくとも３本の平行で同長の横フレーム材と、前記各フレーム材と適宜傾斜角で交叉配置される少なくとも２本の筋違い材とを備え、前記筋違い材と前記横フレーム材との各交点を、前記横フレーム材に、位置固定に枢着すること及びスライド可能に結合することを選択して組合せ、前記の各横フレーム材を相互に離間させて広げた掲示板の取付け状態と、当該各横フレーム材を相互に接近させて折畳む掲示板の取外し状態を形成できるようにしたことを特徴とするものである。
【０００７】
本考案フレームは、上記構成において、筋違い材は、中間の横フレーム材に関して上，下対称な姿勢で設けた構成とすることができる。ここで、筋違い材は、少なくとも１組乃至２組を設ければ足りるが、３組以上を用いた構造であってもよい。
【０００８】
また、本考案フレームは、横フレーム材が掲示板を取付けることができる離間姿勢のとき、横フレーム材の両側端に、各横フレーム材を連結するための縦フレーム材を着脱可能に設けることができる。
【０００９】
さらに、横フレーム材の裏面に筋違い材、又は、筋違い材と脚取付部を設け、横フレーム材の前面、又は、横フレーム材と縦フレーム材の前面に、掲示板の取付部を形成した構成とすることもできる。この場合において、前記フレームの構成材料と脚は、金属製、好ましくはアルミニウム等の軽金属製のフレーム，脚であることが望ましい。
【００１０】
本考案掲示板用フレームの構成としては、少なくとも３本の平行で同長の横フレーム材と、該横フレーム材と適宜角度で交叉して配置される第一の筋違い材と、該第一の筋違い材と交叉角が対称な向きで配置される第二の筋違い材とを備え、第一と第二の筋違い材の交点を枢着結合した結合交点を、前記横フレーム材の中間のフレーム材にスライド可能に結合すると共に、前記各筋違い材における左右外端に位置する２組の自由端のうち、上位の横フレーム材に交わる自由端と下位の横フレーム材と交わる他方の自由端とを、夫々の横フレーム材の側端部に位置固定に枢着して掲示板用フレームを形成し、前記各横フレーム材を相互に離間させ、前記横フレーム材の側端部に位置固定に枢着されていない筋違い材の残りの２つの自由端が横フレーム材の側端部と交叉した姿勢のとき、当該横フレーム材の側端部と筋違い材の自由端を結合してから掲示板を取付ける一方、前記掲示板を取外し前記横フレーム材の側端部と筋違い材の自由端の結合を解いて各横フレーム材が相互に接近するように折畳む構成とすることもできる。つまり、筋違い材は一組に限られず複数組あっても、本考案フレームを形成することができる。
【考案の効果】
【００１１】
本考案では、選挙ポスターなどの掲示板用フレームを、少なくとも３本の平行で同長の横フレーム材と、前記各フレーム材と適宜傾斜角で交叉配置される少なくとも２本の筋違い材とを備え、前記筋違い材と前記横フレーム材との各交点を、前記横フレーム材に位置固定に枢着すること及びスライド可能に結合することを選択して組合せ、前記の各横フレーム材を相互に離間させて広げた掲示板の取付け状態と、前記横フレーム材を相互に接近させて折畳む掲示板の取外し状態を形成できるように構成したので、不使用時にはコンパクトに折畳むことができ、従って、収納，保管する際のスペース効率がきわめて良好である。
また、使用時には、当該フレームを構成する横フレーム材を互に離間するように開き、その状態で掲示板を取付けることができるので、掲示板はフレームに取付可能な単にフラット（平坦）な矩形の板状体であれば足りる、つまり、掲示板自体に取付けのための余計な構造が不要という利点がある。
さらに、フレーム材をアルミ等の軽金属製にすれば、持運びが楽である上に、重量も小さくできるので、保管，運搬のみならず、組立て設置及び撤去折畳みする上でも便利である。
【考案を実施するための最良の形態】
【００１２】
次に本考案掲示板用フレーム（以下、単に「本考案フレーム」という）の実施の形態例について、図を参照して説明する。
図１は本考案フレームの組立状態の正面図、図２〜図４は、それぞれ図１の組立状態の本考案フレームを分解する状態を工程順に示した正面図、図５は、図１の本考案フレームに脚を付けて地上に立設した状態の正面図、図６は図５の本考案フレームに、一例として選挙ポスター用掲示板を取付けた状態の正面図、図７はフレーム材とローラとの取付構造例を示す断面図、図８は筋違い材６，７の自由端に設けたフレーム材１，３と座金体の取付構造例を示す断面図、図９は本考案フレームの別例の組立状態の正面図、図10は図９の本考案フレームを分解して折畳み途中の正面図である。
【００１３】
図１において、１，２，３は、互に平行に配置した横フレーム材で、長さは一例として２〜３ｍ前後である。横フレーム材１〜３は、断面略コ状のアルミ材により形成する。断面略コ状のアルミ材による横フレーム材１〜３は、立壁が開放された側を背面として用いられる。
【００１４】
上記図１，図２に示した配置の横フレーム材１〜３は、各フレーム１〜３が相互に離間した状態（フレームを開いた状態、或は、使用時の状態ともいう）において、下位の横フレーム材３の左右外端部に下端部4b，5bを位置付けると共に、上位の横フレーム１の上で１点に交わる上端部4a，5aを位置付けた第一の筋違い材４，５と、上位フレーム材１の左右端部に、それぞれ上端部6a，7aを位置付けると共に、下位の横フレーム材３の上で１点に交わる下端部6b，7bを位置付けた第一の筋違い材６，７とが配置される。
【００１５】
上記２組の筋違い材４，５と同６，７において、略山形をなす第一の筋違い材４，５の一端（図の上端）部4aと5aは、その交点で枢着結合され、かつ、上位の横フレーム材１の背面の溝部に、枢着軸と同軸のローラ（図７参照）によってスライド可能に支持されている。
【００１６】
一方、略谷形をなす筋違い材６，７の他端（図の下端）部6bと7bは、その交点で枢着結合され、かつ、下位の横フレーム材３の背面の溝部に、枢着軸と同軸のローラによってスライド可能に支持されている（図７参照）。
【００１７】
他方、筋違い材４，６の交点８と、同５，７の交点９とは、交叉した筋違い材同士を枢着結合すると共に、その枢着軸と同軸のローラ8a，9aにより、中間の横フレーム材２の背面の溝にスライド可能に支持させている（図７参照）。
【００１８】
そして、筋違い材６の一端（図の上端）部6aと、この筋違い材６と平行な筋違い材５の他端（図の下端）部5bとは、それぞれに、上位の横フレーム材１の一端（図の右端）と、下位の横フレーム材３の他端（図の左端）とに、位置固定に枢着されている（図８参照）。
【００１９】
一方、筋違い４の他端（図の下端）部4bと、筋違い材７の一端（図の上端）部7aとは、それぞれに下位の横フレーム材３と上位の横フレーム材１の背面の溝に支持案内されるローラ10と同11を備えている。
【００２０】
上記のローラ8a，9aは、図７に例示するように複輪ローラＲによって中間の横フレーム材２の溝壁に転動可能に装架され、そのローラＲの軸Ｓに筋違い材４，６の交点８，９を支持させてピンＰにより抜止めしている。
【００２１】
一方、筋違い材４，７の自由端に設けたローラ10，11は、図８に例示するように、横フレーム材１〜３の側断面略コ状の溝の中に収容された円板状座金体Ｗと、各筋違い材４，又は７への枢着軸Ｓと、ロックナットＮを備え、ナットＮを緩めているときは座金体Ｗが溝内を転動乃至スライド可能であるが、ナットＮを前記軸Ｓ上で締付けると全体が横フレーム材１〜３の溝に固定されて、スライド（転動）不能になる。
【００２２】
上記構成を備えた本考案フレームは、筋違い材４と同７の自由端4bと7aに設けているローラ10とローラ11を上，下の横フレーム材１と同３の端部の溝に入れて、当該ローラ10とローラ11を固定すると、図２に示す展開状態（展示可能状態）になる。このとき、ローラ8a，9a、筋違い４，５の上方の交点（4a，5a）と、筋違い材６，７の下方の交点（6b，7b）に夫々に設けたローラを固定すると、図２に例示した展開状態を、より強固に組立てることができる。
【００２３】
本考案フレームでは、展開した横フレーム材１〜３の図の左，右端部に、縦フレーム材12，13を取付けることにより、図１に示すように、外周が横フレーム材１，３と縦フレーム材12，13に囲まれ、かつ、内部に中間の横フレーム材２と２組の筋違い材４，５、同６，７を備えた掲示板用フレームの一例に形成される。なお、縦フレーム材12，13は、横フレーム材１〜３の側端にビスなどにより取付け、着脱自在としている。
【００２４】
上記の本考案フレームにおいて、上，下の横フレーム材１，３の左右の中間部位には、後述する左右の脚16，17の取付用ブラケット14L，14Rと同15L，15Rとが設けられている。なお、ブラケット14L〜15Rの取付位置や個数は、図示の例に限られるものではない。また、図示した例の脚16，17は、地中に埋設した支柱18L，18Rと該支柱18L，18Rに左右のクランプ20，21，22に延設され補助支柱19L，19Rに、左右のクランプ22を介して取付けられることにより、立設されることになる（図５，図６参照、なお、図５は立設した本考案フレームの背面図、図６は立設した本考案フレームの正面図である。）
【００２５】
本考案フレームの正面には、図６に例示したように、該フレームとほぼ同大の木質系耐水合板、紙系耐水合板、プラスチック系板、金属板などにより形成した望ましくは耐候性が良好な掲示パネル（掲示板ともいう）23が、上，下の横フレーム材１，３の正面側、及び、縦フレーム12，13の正面側に形成した、断面略Ｌ状などの形態による当該パネル23を抱持する取付部（図に表われず）に装着される（図６参照）。
【００２６】
上記のようにして掲示板23に選挙ポスターなどを貼って街頭などに設置された本考案フレームは、選挙ポスターの場合には当該選挙が終れば、撤去される。撤去は、先に述べた本考案フレームの組立て，立設，掲示板23の装着とは逆の工程で行われる。
【００２７】
即ち、まず、図６の状態の本考案フレームから掲示板25を取外し、ブラケット14L〜15Rにおいて脚16，17に取付けられていた本考案フレームを取外す。
次いで、縦フレーム12，13を横フレーム材１〜３の側端部からビスを解いて取外し、横フレーム材１の左側端に結合されていた筋違い材７の上端をフリーにすると共に横フレーム材３の右側端に結合されていた筋違い材４の下端をフリーにする。
【００２８】
上記の状態から上，下の横フレーム材１，３を互に近接するように操作すると、図３のように両フレーム材１，３が中間の横フレーム材２に近接すると同時に、２組の筋違い材４，５と同６，７が、各横フレーム材１〜３の溝の中で各ローラがスライド姿勢変形し、図４に示すような上下方向で圧縮された折畳み状態になる。
【００２９】
図４の状態に折畳んだフレームに縦フレーム材12，13を平行に添えて全体をワイヤやゴムバンドなどで結束すれば、そのままの姿で次の使用機会まで倉庫等に保管できる。
【００３０】
なお、脚16，17と上述した脚16，17の補助脚18L，19R、クランプ20〜21は、仮設足場などにも用いられるパイプ材とクランプであるから、撤去後は他に転用するなどして取扱われる。
【００３１】
図１〜図８に拠った本考案フレームに一例に関する以上の説明は、平行な横フレーム材１〜３に対し２組の筋違い材４，５、同６，７を、略山形、及び、略谷形であって、かつ、上下（中間の横フレーム材２）に関し、対称的に配置したことを主な構成とする本考案フレームが例であった。
【００３２】
本考案では、図９，図10に例示するように、一組の筋違い材41，51を３本の横フレーム材１〜３に対して交叉姿勢で配置した構成であっても、上記に説明した本考案フレームの一例と同等の効果が得られる。しかも、図９，図10の例のフレームは、使用する筋違いが２本と少ないので、本考案フレーム全体の重量の軽量化，材料コストの低減など、有利な点が多い。なお、図９，図10において、図１〜図８と同じ符号は同一部材、又は、同一部位を示すものとする。
【００３３】
図９，図10では、２本の筋違い材41，51を、展開した横フレーム材１〜３に対して略Ｘ字状に配し、２本の筋違い材41，51の交点45を中間の横フレーム材２の中間に位置固定に枢着し、両筋違い材41，51の上，下の自由端41a，41b、同51a，51bを、夫々に、対応した横フレーム材１，３に、図７又は図８の結合形態によりスライド，固定自在に結合している。なお、各筋違い材における各自由端の横フレーム材に対する位置固定の結合、並びに、スライド自在の結合における結合構造は、図７，図８に例示したものに限られることなく、同じ機能を果すものであれば、他の構造であってもよい。
【産業上の利用可能性】
【００３４】
本考案掲示板フレームは以上の通りであって、少なくとも３本の平行で同長の横フレーム材と、前記各フレーム材と適宜傾斜角で交叉配置される少なくとも２本の筋違い材とを備え、前記筋違い材と前記横フレーム材との各交点を、前記横フレーム材に、位置固定に枢着すること及びスライド可能に結合することを選択して組合せ、前記の各横フレーム材を相互に離間させて広げた掲示板の取付け状態と、当該各横フレーム材を相互に接近させて折畳む掲示板の取外し状態を形成できるようにして掲示板用フレームを構成したので、使用時には、当該フレームを構成する横フレーム材を互に離間するように開き、その状態で掲示板を取付けることができる。この結果、掲示板はフレームに取付可能な単にフラット（平坦）な矩形の板状体であれば足りる、また、フレーム材をアルミ等の軽金属製にすれば、組立て，折畳み自在であるから持運びが楽である上に、重量も小さくできるので、保管，運搬のみならず、組立て設置及び撤去の際に折畳みする上で至便である。
【図面の簡単な説明】
【００３５】
【図１】本考案フレームの組立状態の正面図。
【図２】図１の組立状態の本考案フレームを分解する状態を工程順に示した正面図。
【図３】図１の組立状態の本考案フレームを分解する状態を工程順に示した正面図。
【図４】図１の組立状態の本考案フレームを分解する状態を工程順に示した正面図。
【図５】図１の本考案フレームに脚を付けて地上に立設した状態の正面図。
【図６】図５の本考案フレームに、一例として選挙ポスター用掲示板を取付けた状態の正面図。
【図７】フレーム材とローラとの取付構造例を示す断面図。
【図８】筋違い材６，７の自由端に設けたフレーム材１，３と座金体の取付構造例を示す断面図。
【図９】本考案フレームの別例の組立状態の正面図。
【図１０】分解して折畳み途中の正面図。
【符号の説明】
【００３６】
１〜３    横フレーム材
４，５    第一の筋違い材
６，７    第二の筋違い材
８        筋違い材４，６の交点
９        筋違い材５，７の交点
10，11    筋違い材６，７の端部6a，7aのローラ
12，13    縦フレーム
【図１】
0003128240.tif 000003
【図２】
0003128240.tif 000004
【図３】
0003128240.tif 000005
【図４】
0003128240.tif 000006
【図５】
0003128240.tif 000007
【図６】
0003128240.tif 000008
【図７】
0003128240.tif 000009
【図８】
0003128240.tif 000010
【図９】
0003128240.tif 000011
【図１０】
0003128240.tif 000012